(57)【特許請求の範囲】
【請求項１】
第１対象者に対応する興味対象を取得する第１取得処理部と、
第２対象者により外部の一又は複数のＳＮＳサーバーに投稿されて当該一又は複数のＳＮＳサーバーに設けられた一又は複数の記憶部に記憶されている画像データから、当該第２対象者の自画像を含み且つ画像認識処理による認識結果が前記第１取得処理部により取得される前記興味対象と一致する特定画像データを取得する第２取得処理部と、
前記第２取得処理部により取得される前記特定画像データを含む前記第２対象者のプロフィールデータを生成する生成処理部と、
複数の前記第１対象者及び複数の前記第２対象者を指定する指定操作を受け付ける操作受付部と、
を備え、
前記第１取得処理部が、前記指定操作によって指定された複数の前記第１対象者各々に対応する前記興味対象を取得し、
前記第２取得処理部が、前記指定操作によって指定された複数の前記第２対象者各々に対応する前記第１取得処理部により取得される前記興味対象ごとの前記特定画像データを取得し、
前記生成処理部が、前記指定操作が受け付けられた場合に、当該指定操作によって指定された前記第１対象者及び前記第２対象者の組み合わせごとに対応する前記第２対象者ごとの前記プロフィールデータを生成する画像処理装置。
【請求項２】
前記生成処理部が、複数の前記第２対象者のうち予め定められた基準に従って設定される優先度が残部より高い一部の前記第２対象者のみ前記特定画像データを含む前記プロフィールデータを生成する請求項１に記載の画像処理装置。
【請求項３】
前記第１取得処理部が、前記第１対象者により前記ＳＮＳサーバーに投稿された画像データ及び他者により前記ＳＮＳサーバーに投稿されて前記第１対象者による予め定められたキーワードを含むコメントが付された画像データのいずれか一方又は両方の認識結果に基づいて前記第１対象者の前記興味対象を取得する請求項１又は２に記載の画像処理装置。
【請求項４】
前記第１取得処理部が、前記第１対象者により前記ＳＮＳサーバーに投稿された複数の画像データのうち投稿日時が残部より新しい一部の画像データの認識結果に基づいて前記興味対象を取得する請求項３に記載の画像処理装置。
【請求項５】
前記第１取得処理部が、前記他者により前記ＳＮＳサーバーに投稿されて前記第１対象者による前記コメントが付された複数の画像データ各々から認識される複数の対象のうち認識回数が残部より多い一部の前記対象を前記興味対象として取得する請求項３又は４に記載の画像処理装置。
【請求項６】
前記生成処理部により生成される前記プロフィールデータを印刷する印刷処理部を更に備える請求項１〜５のいずれかに記載の画像処理装置。
【請求項７】
第１対象者に対応する興味対象を取得する第１ステップと、
第２対象者により外部の一又は複数のＳＮＳサーバーに投稿されて当該一又は複数のＳＮＳサーバーに設けられた一又は複数の記憶部に記憶されている画像データから、当該第２対象者の自画像を含み且つ画像認識処理による認識結果が前記第１ステップにより取得される前記興味対象と一致する特定画像データを取得する第２ステップと、
前記第２ステップにより取得される前記特定画像データを含む前記第２対象者のプロフィールデータを生成する第３ステップと、
複数の前記第１対象者及び複数の前記第２対象者を指定する指定操作を受け付ける第４ステップと、
を含み、
前記第１ステップでは、前記指定操作によって指定された複数の前記第１対象者各々に対応する前記興味対象が取得され、
前記第２ステップでは、前記指定操作によって指定された複数の前記第２対象者各々に対応する前記第１ステップにより取得される前記興味対象ごとの前記特定画像データが取得され、
前記第３ステップでは、前記指定操作が受け付けられた場合に、前記指定操作によって指定された前記第１対象者及び前記第２対象者の組み合わせごとに対応する前記第２対象者ごとの前記プロフィールデータが生成される画像処理方法。
【発明の詳細な説明】
【技術分野】
【０００１】
本発明は、画像処理装置、及び画像処理方法に関する。
【背景技術】
【０００２】
男女各々のパートナー探しを支援することが可能なシステムが知られている。例えば、サーバーに記憶された男女各々の個人データに基づいて男女のマッチングを行い、マッチング結果に基づいて男女各々に異性を紹介するシステムが知られている（例えば、特許文献１参照）。
【０００３】
一方、互いに初対面の複数組の男女でお見合いを行う、いわゆるお見合いパーティーがパートナー探しに利用されることがある。例えば、前記お見合いパーティーでは、参加者各々における自己紹介の手間を軽減するために、前記参加者の氏名、年齢、住所、職業、趣味などを含むプロフィールデータが印刷されたプロフィールカードが前記参加者各々に配布される。また、前記お見合いパーティーでは、互いに前記プロフィールカードを交換し合った男女間において、前記プロフィールカードの内容を糸口にした会話が行われる。例えば、前記プロフィールカードは、前記お見合いパーティーの主催者によりプリンターなどの画像処理装置を用いて印刷される。
【先行技術文献】
【特許文献】
【０００４】
【特許文献１】特開２００２−１５０５２号公報
【発明の概要】
【発明が解決しようとする課題】
【０００５】
ところで、前記プロフィールカードに印刷される前記プロフィールデータに含まれる趣味の情報が前記プロフィールカードを受け取る前記参加者にとって興味のない内容である場合には、その趣味の情報を糸口にした会話が弾まないことがある。一方、前記主催者が、前記参加者ごとに趣味に関する写真などの画像データを予め集めた上で、前記プロフィールカードを渡される前記参加者の趣味に合致する内容の画像データを前記プロフィールカードに印刷することも考えられるが、その作業は煩雑である。
【０００６】
本発明の目的は、コミュニケーションの円滑化に資するプロフィールデータを容易に生成可能な画像処理装置、及び画像処理方法を提供することにある。
【課題を解決するための手段】
【０００７】
本発明の一の局面に係る画像処理装置は、第１取得処理部と、第２取得処理部と、生成処理部とを備える。前記第１取得処理部は、第１対象者に対応する興味対象を取得する。前記第２取得処理部は、第２対象者に対応付けられて一又は複数の記憶部に記憶されている画像データから前記第１取得処理部により取得される前記興味対象に関連する特定画像データを取得する。前記生成処理部は、前記第２取得処理部により取得される前記特定画像データを含む前記第２対象者のプロフィールデータを生成する。
【０００８】
本発明の他の局面に係る画像処理方法は、第１ステップと、第２ステップと、第３ステップとを含む。前記第１ステップは、第１対象者に対応する興味対象を取得する。前記第２ステップは、第２対象者に対応付けられて一又は複数の記憶部に記憶されている画像データから前記第１ステップにより取得される前記興味対象に関連する特定画像データを取得する。前記第３ステップは、前記第２ステップにより取得される前記特定画像データを含む前記第２対象者のプロフィールデータを生成する。
【発明の効果】
【０００９】
本発明によれば、コミュニケーションの円滑化に資するプロフィールデータを容易に生成可能な画像処理装置、及び画像処理方法が実現される。
【図面の簡単な説明】
【００１０】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置で実行されるプロフィールデータ生成処理の一例を示すフローチャートである。
【図４】図４は、本発明の実施形態に係る画像処理装置において取得されるＷｅｂページの一例を示す図である。
【図５】図５は、本発明の実施形態に係る画像処理装置において取得されるＷｅｂページの一例を示す図である。
【図６】図６は、本発明の実施形態に係る画像処理装置において取得されるＷｅｂページの一例を示す図である。
【図７】図７は、本発明の実施形態に係る画像処理装置で印刷されるプロフィールカードの一例を示す図である。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。
【００１３】
図１及び図２に示すように、画像処理装置１０は、ＡＤＦ１、画像読取部２、画像形成部３、給紙部４、制御部５、操作表示部６、通信部７、及び記憶部８を備える。画像処理装置１０は、原稿から画像データを読み取るスキャン機能、及び画像データに基づいて画像を形成するプリント機能と共に、ファクシミリ機能、又はコピー機能などの複数の機能を有する複合機である。また、本発明は、スキャナー装置、プリンター装置、ファクシミリ装置、及びコピー機などの画像処理装置に適用可能である。
【００１４】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１５】
画像形成部３は、画像読取部２で読み取られた画像データ又は外部のパーソナルコンピューター等の情報処理装置から入力された画像データに基づいて、電子写真方式でカラー又はモノクロの画像を形成する画像形成処理（印刷処理）を実行可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部３では、給紙部４から供給されるシートにカラー又はモノクロの画像が形成されて、画像形成後の前記シートが前記排紙トレイに排出される。なお、前記シートは、紙、コート紙、ハガキ、封筒、及びＯＨＰシートなどのシート材料である。
【００１６】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１７】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１８】
通信部７は、外部の通信装置との間で有線又は無線によるデータ通信を実行可能な通信インターフェイスである。
【００１９】
記憶部８は、ＳＳＤ（ソリッドステートドライブ）又はＨＤＤ（ハードディスクドライブ）などの記憶装置である。記憶部８には、以下に述べるお見合いパーティーに参加する参加者各々の氏名、年齢、住所、職業、趣味、自画像などを含む個人情報が予め記憶されている。なお、記憶部８は、制御部５の前記ＥＥＰＲＯＭなどであってもよい。
【００２０】
ところで、男女各々のパートナー探しを支援することが可能なシステムが知られている。例えば、サーバーに記憶された男女各々の個人データに基づいて男女のマッチングを行い、マッチング結果に基づいて男女各々に異性を紹介するシステムが知られている。
【００２１】
一方、互いに初対面の複数組の男女でお見合いを行う、いわゆるお見合いパーティーがパートナー探しに利用されることがある。例えば、前記お見合いパーティーでは、参加者各々における自己紹介の手間を軽減するために、前記参加者の氏名、年齢、住所、職業、趣味などを含むプロフィールデータが印刷されたプロフィールカードが前記参加者各々に配布される。また、前記お見合いパーティーでは、互いに前記プロフィールカードを交換し合った男女間において、前記プロフィールカードの内容を糸口にした会話が行われる。例えば、前記プロフィールカードは、前記お見合いパーティーの主催者によりプリンターなどの画像処理装置を用いて印刷される。
【００２２】
ここで、前記プロフィールカードに印刷される前記プロフィールデータに含まれる趣味の情報が前記プロフィールカードを受け取る前記参加者にとって興味のない内容である場合には、その趣味の情報を糸口にした会話が弾まないことがある。一方、前記主催者が、前記参加者ごとに趣味に関する写真などの画像データを予め集めた上で、前記プロフィールカードを渡される前記参加者の趣味に合致する内容の画像データを前記プロフィールカードに印刷することも考えられるが、その作業は煩雑である。これに対し、本発明の実施形態に係る画像処理装置１０では、以下に説明するように、コミュニケーションの円滑化に資するプロフィールデータを容易に生成することが可能である。
【００２３】
具体的に、制御部５の前記ＲＯＭには、制御部５の前記ＣＰＵに後述のプロフィールデータ生成処理（図３のフローチャート参照）を実行させるためのプロフィールデータ生成プログラムが予め記憶されている。なお、前記プロフィールデータ生成プログラムは、ＣＤ、ＤＶＤ、フラッシュメモリーなどのコンピューター読み取り可能な記録媒体に記録されており、前記記録媒体から読み取られて記憶部８又は前記ＥＥＰＲＯＭ等にインストールされてもよい。
【００２４】
そして、制御部５は、図２に示すように、操作受付部５１、第１取得処理部５２、第２取得処理部５３、生成処理部５４、及び印刷処理部５５を含む。具体的に、制御部５は、前記ＣＰＵを用いて前記ＲＯＭに記憶されている前記プロフィールデータ生成プログラムを実行する。これにより、制御部５は、操作受付部５１、第１取得処理部５２、第２取得処理部５３、生成処理部５４、及び印刷処理部５５として機能する。
【００２５】
操作受付部５１は、記憶部８に前記個人情報が記憶されている複数の前記参加者から、印刷処理部５５により印刷される前記プロフィールカードを渡される第１対象者、及び前記プロフィールカードに前記個人情報が印刷される第２対象者を指定する指定操作を受け付ける。例えば、操作受付部５１は、操作表示部６に対するユーザー操作に応じて、操作表示部６に前記指定操作に用いられる指定操作画面を表示させる。
【００２６】
例えば、操作受付部５１は、前記指定操作画面において複数の前記第１対象者及び複数の前記第２対象者の指定を受け付ける。また、操作受付部５１は、前記指定操作画面において複数の前記第１対象者及び複数の前記第２対象者の指定を受け付けた後に、前記プロフィールカードの印刷操作を受け付ける。
【００２７】
第１取得処理部５２は、前記第１対象者に対応する興味対象を取得する。例えば、前記興味対象には、前記第１対象者の好きな食べ物、好きな物、好きな場所、好きなスポーツ、好きなイベント等が含まれる。
【００２８】
例えば、第１取得処理部５２は、前記指定操作で指定された複数の前記第１対象者各々に対応する前記興味対象を取得する。なお、第１取得処理部５２は、前記指定操作で指定された一人の前記第１対象者に対応する前記興味対象を取得してもよい。
【００２９】
例えば、画像処理装置１０では、予め外部の一又は複数のＳＮＳサーバーから、前記ＳＮＳサーバーに投稿された前記参加者の日記、及び前記参加者によるコメントが付された他者の日記にアクセスする権限が付与されている。そして、第１取得処理部５２は、前記第１対象者により前記ＳＮＳサーバーに投稿された前記第１対象者の日記に含まれる画像データ、及び前記他者により前記ＳＮＳサーバーに投稿されて前記第１対象者による予め定められたキーワードを含むコメントが付された前記他者の日記に含まれる画像データの認識結果に基づいて、前記興味対象を取得する。例えば、前記キーワードは、「私も・・・が好き」「私も・・・したい」「私も・・・に行きたい」などの、前記他者の日記に対する肯定的な評価を示す一又は複数の単語を含む。
【００３０】
例えば、第１取得処理部５２は、前記第１対象者により前記ＳＮＳサーバーに投稿された複数の前記第１対象者の日記に含まれる複数の画像データのうち、投稿日時が残部より新しい一部の前記第１対象者の日記に含まれる画像データの認識結果に基づいて前記興味対象を取得する。なお、第１取得処理部５２は、前記第１対象者により前記ＳＮＳサーバーに投稿された前記第１対象者の日記に含まれる全ての画像データに基づいて前記興味対象を取得してもよい。
【００３１】
また、第１取得処理部５２は、前記他者により前記ＳＮＳサーバーに投稿されて前記第１対象者による前記キーワードを含むコメントが付された複数の前記他者の日記に含まれる複数の画像データ各々から認識される複数の対象のうち、認識回数が残部より多い一部の前記対象を前記興味対象として取得する。なお、第１取得処理部５２は、前記他者により前記ＳＮＳサーバーに投稿されて前記第１対象者による前記キーワードを含むコメントが付された前記他者の日記に含まれる全ての画像データに基づいて前記興味対象を取得してもよい。
【００３２】
具体的に、第１取得処理部５２は、一又は複数の前記ＳＮＳサーバーに設けられた一又は複数の記憶部から、前記第１対象者の日記又は前記第１対象者による前記キーワードを含むコメントが付された前記他者の日記を含むＷｅｂページを取得する。そして、第１取得処理部５２は、取得されたＷｅｂページに含まれる前記第１対象者の日記又は前記他者の日記に含まれる画像データに対して画像認識処理を実行し、認識結果に基づいて前記興味対象を取得する。例えば、前記画像認識処理では、予め記憶部８に記憶された種々のパターンデータとの比較結果に基づいて画像データに含まれる対象が認識される。なお、第１取得処理部５２は、外部のサーバーから前記パターンデータを取得してもよい。また、第１取得処理部５２は、前記外部のサーバーに画像データを送信して、前記外部のサーバーに前記画像認識処理を実行させてもよい。
【００３３】
なお、第１取得処理部５２は、前記第１対象者により前記ＳＮＳサーバーに投稿された前記第１対象者の日記に含まれる画像データ、及び前記他者により前記ＳＮＳサーバーに投稿されて前記第１対象者による前記キーワードを含むコメントが付された前記他者の日記に含まれる画像データのいずれかに基づいて前記興味対象を取得してもよい。また、第１取得処理部５２は、前記第１対象者により前記ＳＮＳサーバーに投稿された前記第１対象者の日記に含まれるテキストデータ、及び前記他者により前記ＳＮＳサーバーに投稿されて前記第１対象者による前記キーワードを含むコメントが付された前記他者の日記に含まれるテキストデータのいずれか一方又は両方に基づいて前記興味対象を取得してもよい。また、第１取得処理部５２は、前記ＳＮＳサーバーに登録された前記第１対象者の趣味の情報に基づいて前記興味対象を取得してもよい。また、第１取得処理部５２は、記憶部８に記憶されている前記第１対象者の前記個人情報に基づいて前記興味対象を取得してもよい。
【００３４】
第２取得処理部５３は、前記第２対象者に対応付けられて一又は複数の前記記憶部に記憶されている画像データから、第１取得処理部５２により取得される前記興味対象に関連する特定画像データを取得する。例えば、前記特定画像データは、第１取得処理部５２により取得される前記興味対象及び前記第２対象者の自画像を含む画像データである。
【００３５】
例えば、第２取得処理部５３は、前記指定操作で指定された複数の前記第２対象者各々に対応する第１取得処理部５２により取得される前記興味対象ごとの前記特定画像データを取得する。なお、第２取得処理部５３は、前記指定操作で指定された一人の前記第２対象者に対応する第１取得処理部５２により取得される前記興味対象ごとの前記特定画像データを取得してもよい。
【００３６】
例えば、第２取得処理部５３は、前記第２対象者により前記ＳＮＳサーバーに投稿された前記第２対象者の日記に含まれる画像データから前記特定画像データを取得する。
【００３７】
また、第２取得処理部５３は、前記第１対象者の日記に含まれる画像データから取得された前記興味対象、及び前記他者の日記に含まれる画像データから取得された前記興味対象の順で、複数の前記第２対象者の日記に含まれる複数の画像データから予め設定された上限数に到達するまで前記特定画像データを取得する。
【００３８】
具体的に、第２取得処理部５３は、一又は複数の前記ＳＮＳサーバーに設けられた一又は複数の前記記憶部から、前記第２対象者により前記ＳＮＳサーバーに投稿された前記第２対象者の日記を含む前記Ｗｅｂページを取得する。続いて、第２取得処理部５３は、記憶部８に記憶されている前記第２対象者の前記個人情報に基づいて、取得されたＷｅｂページ内の前記第２対象者の日記に含まれる画像データに前記第２対象者の自画像が含まれているか否かを判断する。また、第２取得処理部５３は、取得されたＷｅｂページ内の前記第２対象者の日記に含まれる画像データに対して前記画像認識処理を実行する。そして、第２取得処理部５３は、前記第２対象者の日記に含まれる画像データに前記第２対象者の自画像が含まれており、且つ前記第２対象者の日記に含まれる画像データの前記画像認識処理による認識結果が前記興味対象と一致した場合に、前記第２対象者の日記に含まれる画像データを前記特定画像データとして取得する。ここに、一又は複数の前記ＳＮＳサーバーに設けられた一又は複数の前記記憶部が、本発明における一又は複数の記憶部の一例である。
【００３９】
なお、第２取得処理部５３は、前記第２対象者により前記ＳＮＳサーバーに投稿された前記第２対象者の日記に含まれるテキストデータに基づいて、前記第２対象者の日記に含まれる画像データが前記興味対象に関連するか否かを判断してもよい。また、第２取得処理部５３は、予め前記個人情報に対応付けられて記憶部８に記憶された画像データから前記特定画像データを取得してもよい。また、前記特定画像データは、前記第２対象者の自画像を含まないものであってもよく、前記興味対象に関連する対象として予め定められた関連対象を含むものであってもよい。
【００４０】
生成処理部５４は、第２取得処理部５３により取得される前記特定画像データを含む前記第２対象者の前記プロフィールデータを生成する。
【００４１】
例えば、生成処理部５４は、前記第１対象者及び前記第２対象者の組み合わせごとに対応する前記第２対象者ごとの前記プロフィールデータを生成する。なお、生成処理部５４は、前記指定操作で一人の前記第１対象者及び複数の前記第２対象者が選択される場合には、複数の前記第２対象者ごとの前記プロフィールデータを生成する。また、生成処理部５４は、前記指定操作で複数の前記第１対象者及び一人の前記第２対象者が選択される場合には、複数の前記第１対象者各々に対応する前記興味対象ごとの前記第２対象者の前記プロフィールデータを生成する。
【００４２】
例えば、生成処理部５４は、第２取得処理部５３により取得される一又は複数の前記特定画像データ及び記憶部８から取得される前記第２対象者の前記個人情報に基づいて前記プロフィールデータを生成する。なお、生成処理部５４は、一又は複数の前記ＳＮＳサーバーに登録された前記第２対象者の前記個人情報を用いて前記プロフィールデータを生成してもよい。
【００４３】
ここで、生成処理部５４は、前記指定操作で指定された複数の前記第２対象者のうち、予め定められた基準に従って設定される優先度が残部より高い一部の前記第２対象者のみ前記特定画像データを含む前記プロフィールデータを生成する。一方、生成処理部５４は、前記残部の前記第２対象者については、前記特定画像データを含まない前記プロフィールデータを生成する。例えば、前記優先度は、記憶部８への前記個人情報の登録順に応じて設定される。なお、生成処理部５４は、前記第２対象者ごとに、前記優先度に応じた数の前記特定画像データを含む前記プロフィールデータを生成してもよい。
【００４４】
印刷処理部５５は、生成処理部５４により生成される前記プロフィールデータを印刷する。例えば、印刷処理部５５は、画像形成部３を制御して、画像形成部３に前記プロフィールデータに基づく前記印刷処理を実行させる。なお、印刷処理部５５は、外部の画像形成装置に前記プロフィールデータに基づく前記印刷処理を実行させてもよい。
【００４５】
［プロフィールデータ生成処理］
以下、図３を参照しつつ、画像処理装置１０において制御部５により実行されるプロフィールデータ生成処理の手順の一例について説明する。ここで、ステップＳ１、Ｓ２・・・は、制御部５により実行される処理手順（ステップ）の番号を表している。なお、前記プロフィールデータ生成処理は、操作表示部６に対して前記指定操作画面の表示を指示するユーザー操作が行われた場合に実行される。
【００４６】
＜ステップＳ１＞
まず、ステップＳ１において、制御部５は、操作表示部６に前記指定操作画面を表示させる。例えば、前記指定操作画面では、複数の前記第１対象者及び複数の前記第２対象者の指定が受け付けられる。ここで、ステップＳ１の処理は、制御部５の操作受付部５１により実行される。
【００４７】
＜ステップＳ２＞
ステップＳ２において、制御部５は、前記指定操作画面において前記プロフィールカードの前記印刷操作を受け付けたか否かを判断する。
【００４８】
ここで、制御部５は、前記指定操作画面において前記印刷操作を受け付けたと判断すると（Ｓ２のＹｅｓ側）、処理をステップＳ３に移行させる。また、前記指定操作画面において前記印刷操作を受け付けていなければ（Ｓ２のＮｏ側）、制御部５は、ステップＳ２で前記印刷操作の受付を待ち受ける。
【００４９】
なお、ステップＳ１及びステップＳ２の処理は省略されるものであってもよい。例えば、外部の情報処理装置から複数の前記第１対象者及び複数の前記第２対象者を指定する指定情報が入力された場合に、前記プロフィールデータ生成処理が実行されることが考えられる。
【００５０】
＜ステップＳ３＞
ステップＳ３において、制御部５は、前記第１対象者に対応する前記興味対象を取得する。ここに、ステップＳ３の処理が、本発明における第１ステップの一例であって、制御部５の第１取得処理部５２により実行される。
【００５１】
例えば、制御部５は、前記第１対象者により前記ＳＮＳサーバーに投稿された前記第１対象者の日記に含まれる画像データ、及び前記他者により前記ＳＮＳサーバーに投稿されて前記第１対象者による前記キーワードを含むコメントが付された前記他者の日記に含まれる画像データの認識結果に基づいて、ステップＳ１で表示された前記指定操作画面で指定された複数の前記第１対象者各々の前記興味対象を取得する。
【００５２】
例えば、制御部５は、前記第１対象者により前記ＳＮＳサーバーに投稿された複数の前記第１対象者の日記に含まれる複数の画像データのうち、投稿日時が残部より新しい一部の前記第１対象者の日記に含まれる画像データの認識結果に基づいて前記興味対象を取得する。これにより、前記第１対象者の最近の前記興味対象を取得することが可能である。なお、制御部５は、投稿時からの経過日時が予め設定された許容日時以内の一又は複数の前記第１対象者の日記に含まれる一又は複数の画像データの認識結果に基づいて前記興味対象を取得してもよい。
【００５３】
また、制御部５は、前記他者により前記ＳＮＳサーバーに投稿されて前記第１対象者による前記キーワードを含むコメントが付された複数の前記他者の日記に含まれる複数の画像データ各々から認識される前記対象のうち、認識回数が残部より多い一部の前記対象を前記興味対象として取得する。これにより、前記第１対象者が社交辞令等により前記キーワードを含むコメントを付した前記他者の日記に含まれる画像データに基づいて前記興味対象が取得されることが回避される。なお、制御部５は、認識回数が予め設定された閾値を超える一又は複数の前記対象を前記興味対象として取得してもよい。
【００５４】
ここで、図４及び図５を参照しつつ、ステップＳ３における制御部５による前記興味対象の取得手順について説明する。なお、図４は、前記ＳＮＳサーバーから取得される第１対象者Ｘさんの日記Ａ１１を含むＷｅｂページＡ１０を示す図である。また、図５は、前記ＳＮＳサーバーから取得される第１対象者Ｘさんによる前記キーワードを含むコメントＡ２２が付された他者Ｙさんの日記Ａ２１を含むＷｅｂページＡ２０を示す図である。
【００５５】
例えば、制御部５は、前記ＳＮＳサーバーの前記記憶部から、図４に示す第１対象者Ｘさんの日記Ａ１１を含むＷｅｂページＡ１０を取得する。図４に示される日記Ａ１１には、タイトルＡ１１１、投稿日時Ａ１１２、テキストデータＡ１１３、及び画像データＡ１１４が含まれる。制御部５は、日記Ａ１１に含まれる画像データＡ１１４に対して前記画像認識処理を実行して、画像データＡ１１４に含まれる前記対象が「山」であると認識し、認識された「山」を前記興味対象として取得する。なお、制御部５は、日記Ａ１１に含まれるタイトルＡ１１１及びテキストデータＡ１１３に基づいて前記興味対象を取得してもよい。
【００５６】
また、制御部５は、前記ＳＮＳサーバーの前記記憶部から、図５に示す第１対象者Ｘさんによる前記キーワードを含むコメントＡ２２が付された他者Ｙさんの日記Ａ２１を含むＷｅｂページＡ２０を取得する。図５に示される日記Ａ２１には、タイトルＡ２１１、投稿日時Ａ２１２、テキストデータＡ２１３、及び画像データＡ２１４が含まれる。また、図５に示されるコメントＡ２２には、第１対象者Ｘさんを示す情報Ａ２２１、投稿日時Ａ２２２、及び前記キーワードを含むテキストデータＡ２２３が含まれる。制御部５は、日記Ａ２１に含まれる画像データＡ２１４に対して前記画像認識処理を実行して、画像データＡ２１４に含まれる前記対象が「海」であると認識し、認識された「海」を前記興味対象として取得する。なお、制御部５は、日記Ａ２１に含まれるタイトルＡ２１１及びテキストデータＡ２１３に基づいて前記興味対象を取得してもよい。
【００５７】
＜ステップＳ４＞
ステップＳ４において、制御部５は、前記第２対象者に対応付けられて一又は複数の前記記憶部に記憶されている画像データから、ステップＳ３により取得される前記興味対象に関連する前記特定画像データを取得する。ここに、ステップＳ４の処理が、本発明における第２ステップの一例であって、制御部５の第２取得処理部５３により実行される。
【００５８】
例えば、制御部５は、前記第２対象者により前記ＳＮＳサーバーに投稿された前記第２対象者の日記に含まれる画像データから、ステップＳ１で表示された前記指定操作画面で指定された複数の前記第２対象者各々に対応するステップＳ３により取得される前記興味対象ごとの前記特定画像データを取得する。
【００５９】
また、制御部５は、ステップＳ３により前記第１対象者の日記に含まれる画像データから取得された前記興味対象、及び前記他者の日記に含まれる画像データから取得された前記興味対象の順で、複数の前記第２対象者の日記に含まれる複数の画像データから前記上限数に到達するまで前記特定画像データを取得する。
【００６０】
ここで、図６を参照しつつ、ステップＳ４における制御部５による前記特定画像データの取得手順について説明する。なお、図６は、前記ＳＮＳサーバーから取得される第２対象者Ｚさんの日記Ａ３１を含むＷｅｂページＡ３０を示す図である。
【００６１】
例えば、制御部５は、前記ＳＮＳサーバーの前記記憶部から、図６に示す第２対象者Ｚさんの日記Ａ３１を含むＷｅｂページＡ３０を取得する。図６に示される日記Ａ３１には、タイトルＡ３１１、投稿日時Ａ３１２、テキストデータＡ３１３、及び画像データＡ３１４が含まれる。また、画像データＡ３１４には、第２対象者Ｚさんの自画像Ａ３１５が含まれる。制御部５は、記憶部８に記憶されている第２対象者Ｚさんの前記個人情報に基づいて、日記Ａ３１に含まれる画像データＡ３１４に第２対象者Ｚさんの自画像Ａ３１５が含まれているか否かを判断する。また、制御部５は、日記Ａ３１に含まれる画像データＡ３１４に対して前記画像認識処理を実行して、認識結果がステップＳ３で取得された第１対象者Ｘさんの前記興味対象と一致するか否かを判断する。そして、制御部５は、画像データＡ３１４に第２対象者Ｚさんの自画像Ａ３１５が含まれており、且つ画像データＡ３１４の前記画像認識処理による認識結果がステップＳ３で取得された第１対象者Ｘさんの前記興味対象と一致する場合に、画像データＡ３１４を特定画像データＡ４２（図７参照）として取得する。なお、制御部５は、日記Ａ３１に含まれるタイトルＡ３１１及びテキストデータＡ３１３に基づいて画像データＡ３１４がステップＳ３で取得された第１対象者Ｘさんの前記興味対象に関連するか否かを判断してもよい。
【００６２】
＜ステップＳ５＞
ステップＳ５において、制御部５は、ステップＳ４により取得される前記特定画像データを含む前記第２対象者のプロフィールデータを生成する。ここに、ステップＳ５の処理が、本発明における第３ステップの一例であって、制御部５の生成処理部５４により実行される。
【００６３】
例えば、制御部５は、ステップＳ４により取得される一又は複数の前記特定画像データ及び記憶部８から取得される前記第２対象者の前記個人情報に基づいて、前記第１対象者及び前記第２対象者の組み合わせごとに対応する前記第２対象者ごとの前記プロフィールデータを生成する。
【００６４】
ここで、制御部５は、ステップＳ１で表示された前記指定操作画面で指定された複数の前記第２対象者のうち、前記優先度が残部より高い一部の前記第２対象者のみ前記特定画像データを含む前記プロフィールデータを生成する。一方、制御部５は、前記残部の前記第２対象者については、前記特定画像データを含まない前記プロフィールデータを生成する。これにより、前記お見合いパーティーにおいて記憶部８への前記個人情報の登録が早い前記第２対象者を優遇することが可能となる。
【００６５】
ここで、前記プロフィールデータ生成処理では、ステップＳ１で表示される前記指定操作画面において複数の前記第１対象者及び複数の前記第２対象者の指定が一度に受け付けられることに対応して、ステップＳ５において前記第１対象者及び前記第２対象者の組み合わせごとに対応する前記第２対象者ごとの前記プロフィールデータが一度に生成される。これにより、ステップＳ１で表示される前記指定操作画面において、前記第１対象者及び前記第２対象者の組み合わせを個別に入力するユーザーの手間が軽減される。
【００６６】
なお、ステップＳ１で表示される前記指定操作画面において、一人の前記第１対象者及び複数の前記第２対象者の指定が受け付けられてもよい。また、前記指定操作画面において、複数の前記第１対象者及び一人の前記第２対象者の指定が受け付けられてもよい。また、前記指定操作画面において、一人の前記第１対象者及び一人の前記第２対象者の指定が受け付けられてもよい。また、前記プロフィールデータ生成処理において、ステップＳ５の処理の実行後に、ステップＳ１で表示される前記指定操作画面において指定された複数の前記第１対象者及び複数の前記第２対象者を入れ替えた上でステップＳ３〜ステップＳ５の処理を再度実行してもよい。
【００６７】
＜ステップＳ６＞
ステップＳ６において、制御部５は、ステップＳ５により生成される前記プロフィールデータを印刷する。ここで、ステップＳ６の処理は、制御部５の印刷処理部５５により実行される。
【００６８】
例えば、制御部５は、画像形成部３を制御して、画像形成部３に前記プロフィールデータに基づく前記印刷処理を実行させる。これにより、例えば、図７に示すようなプロフィールカードＡ４０が印刷される。なお、図７に示されるプロフィールカードＡ４０には、第２対象者Ｚさんの個人情報Ａ４１、及びステップＳ４で取得された特定画像データＡ４２が含まれる。なお、プロフィールカードＡ４０に印刷される前記特定画像データは複数であってもよい。また、ステップＳ６の処理に替えて、制御部５は、ステップＳ５により生成される前記プロフィールデータを記憶部８に記憶させてもよい。
【００６９】
このように、前記プロフィールデータ生成処理では、前記第２対象者に対応付けられて一又は複数の前記記憶部に記憶されている画像データから前記第１対象者の前記興味対象に関連する前記特定画像データが取得されて、取得された前記特定画像データを含む前記第２対象者の前記プロフィールデータが生成される。これにより、コミュニケーションの円滑化に資する前記プロフィールデータを容易に生成することが可能である。
【００７０】
また、前記プロフィールデータ生成処理では、一又は複数の前記ＳＮＳサーバーに設けられた一又は複数の前記記憶部から取得される画像データに基づいて、前記プロフィールデータが生成される。これにより、前記第１対象者の最近の趣味及び前記第２対象者の最近の活動を反映した前記プロフィールデータを生成することが可能である。
【００７１】
また、前記プロフィールデータ生成処理では、前記第２対象者の自画像を含む前記特定画像データが取得されて、取得された前記特定画像データを含む前記第２対象者の前記プロフィールデータが生成される。これにより、前記プロフィールカードの内容を糸口にした会話が前記第２対象者の体験談を交えた具体的な内容となり、前記プロフィールカードを交換した前記参加者間における会話をより弾ませることが可能である。
【００７２】
なお、画像処理装置１０において、予め前記参加者各々から提供された参加者各々の趣味に関する写真などの画像データが前記参加者各々と対応付けられて記憶部８に記憶されている構成が他の実施形態として考えられる。この場合、第１取得処理部５２は、前記第１対象者に対応付けられて記憶部８に記憶されている画像データの認識結果又は記憶部８に記憶されている前記個人情報に基づいて前記興味対象を取得する。また、第２取得処理部５３は、前記第２対象者に対応付けられて記憶部８に記憶されている画像データから第１取得処理部５２により取得される前記興味対象に関連する前記特定画像データを取得する。ここに、記憶部８が、本発明における一又は複数の記憶部の他の一例である。
【００７３】
また、画像処理装置１０により印刷される前記プロフィールカードは、前記お見合いパーティーに限られず、複数の前記参加者各々が互いに親睦を深め合う他の会合に用いられるものであってよい。
【符号の説明】
【００７４】
１    ＡＤＦ
２    画像読取部
３    画像形成部
４    給紙部
５    制御部
５１  操作受付部
５２  第１取得処理部
５３  第２取得処理部
５４  生成処理部
５５  印刷処理部
６    操作表示部
７    通信部
８    記憶部
１０  画像処理装置
【図１】
0006485289.tif 000002
【図２】
0006485289.tif 000003
【図３】
0006485289.tif 000004
【図４】
0006485289.tif 000005
【図５】
0006485289.tif 000006
【図６】
0006485289.tif 000007
【図７】
0006485289.tif 000008